(57)【要約】【課題】人工的に飼料を供給することなく水産生物の高密度育成が可能となり、また、人工水域においても、育成工程を極めて省力化できるアップウエリング式の水産生物育成装置を提供する。【解決手段】育成器１の上面を着脱自在な蓋体３により閉蓋し、底面が開放された筒状とし、その底面に水産生物育成装置Ｓを保持可能な目合いのメッシュサイズの底面フィルター２を張設する。蓋体３の略中央部から垂下して排水パイプ３ａを設け、育成器１内外の水域と通水可能にする。育成器１の上部周縁に帯状浮体３ｃを捲巻固定し、投入された設置水面Ｗ上に蓋体３部分が露出した状態で浮遊させる。【選択図】図１
2015035988.tif 000002
【特許請求の範囲】
【請求項１】
上面が着脱自在な蓋体により閉蓋され、下面が開放された筒状で、その底面に水産生物を収容可能なメッシュサイズのフィルターが張設された育成容器内に排水パイプを備え、内外と通水可能にされたアップウエリング式の育成容器の上部周縁に浮体を設け、投入された設置水面上に蓋体部分が露出した状態で水中に浮遊し、設置水面で発生する波動により上下に弾むように揺動するようにしたことを特徴とする水産生物育成装置。
【請求項２】
蓋体に複数の通気孔を穿孔すると共に、受風板を立設したことを特徴とする請求項１記載の水産生物育成装置。
【請求項３】
蓋体の略中央部分に排水パイプを貫通し、この排水パイプの下端部に排水用フィルター装置を装着したことを特徴とする請求項１又は請求項２記載の水産生物育成装置。
【請求項４】
フィルター装置が、環状の筒胴体の両面をメッシュ膜で被覆したドラム型に形成されると共に、排水パイプの先端部にラッパ状に拡径された集水部が形成されていることを特徴とする請求項１乃至請求項３のいずれかに記載の水産生物育成装置。
【請求項５】
先端に曝気用の散気体が装着された送気チューブが排水パイプ内に挿通されていることを特徴とする請求項１乃至請求項４のいずれかに記載の水産生物育成装置。
【請求項６】
排水パイプに水を充満させることで、サイフォン式に排水するようにしたことを特徴とする請求項１乃至請求項５のいずれかに記載の水産生物育成装置。
【請求項７】
排水パイプの水中部分の途中から送気して排水するようにしたことを特徴とする請求項１乃至請求項６のいずれかに記載の水産生物育成装置。
【請求項８】
育成器内にメッシュサイズの異なる少なくとも２種のフィルターを階層して設けたことを特徴とする請求項１乃至請求項７のいずれかに記載の水産生物育成装置。
【発明の詳細な説明】
【技術分野】
【０００１】  本発明は、水産生物の養殖装置に関し、とくに、アサリ、ハマグリ、シジミ等の埋在性二枚貝の稚貝や幼生、食用ナマコの稚魚といった種苗を効率的に養殖することができる育成装置に関する。
【背景技術】
【０００２】  例えば、アサリ、ハマグリ、シジミ等に代表される二枚貝類は、わが国の代表的な大衆魚介類であり、庶民が安価に取れる水産タンパク源である。しかし今日、海域の水質汚染、沿岸の護岸工事等による砂浜と干潟の減少等により、資源量及び漁獲量は激減している。現在、二枚貝類の資源量及び漁獲量を確保するため、各地で養殖が行われているが、その養殖方法の多くは、稚貝を海浜に人為的に撒いて自然環境の中で育成するものである。【０００３】  同時に、アサリやシジミ資源の減少に伴い、国産二枚貝の天然種苗の確保が困難になっており、安全な種苗の確保が求められている。その対策として、アサリやシジミの稚貝を人為的に生産し、放流用または養殖用種苗として利用する方法がある。しかし、これらの種苗は単価が安いため、種苗生産技術を実用化し普及させるためには、大量の稚貝を低コストで省力的に生産する中間育成技術が必要である。【０００４】  そこで、例えば、特許文献１に開示されているように、表在性二枚貝の中間育成法として、初期稚貝が器物に付着する種では、人工採苗した付着性二枚貝の稚貝を養殖用ロープに付着させて、それを筏から海中に垂下し、中間育成及び養殖を行なう方法がある。同様に、殻長１ｍｍ程度の稚貝を付着器（コレクター、カキ殻など）と共に、目の細かい網かごに収容して海中に垂下して養成する方法もあるが、網かごの目詰まりが起こり易く、生残率及び成長速度が低かった。【０００５】  また、特許文献２には、底面が開口した稚貝飼育槽と底面密封式の排水槽のそれぞれ上方を連通管で連結し、連通管の開口部より上方で稚貝飼育槽及び排水槽の上面より下方に水面が位置するように稚貝飼育槽及び排水槽を水中に固定し、排水槽の水を強制的に外部に排出するためのポンプを設け、稚貝飼育槽内部に、多孔性底面を有する飼育カゴが取出し可能な状態で嵌め込まれると共に、稚貝飼育槽の下方に飼育カゴの底面に接して低速回転するブラシが取付けられた二枚貝中間育成装置が開示されている。【０００６】  一方、当該特許文献２の中に、海外ではカキ、ハマグリを養殖する方法としてアップウエリング法が実用化されていることが示唆されている。本邦においても二枚貝稚貝の飼育方法として、高密度飼育が可能なアップウエリング方式が知られており、海上で天然の植物プランクトンを餌料とする方式、室内で人工培養した植物プランクトンを餌料とする方式が試みられている。【０００７】  例えば、アサリの餌となる植物プランクトンの培養と供給作業を省略し、低コスト化と省力化を図るために、自然海水のみを利用した陸上アップウエリング方式による飼育技術の開発に取り組み、稚貝の良好な成長と生残を得るために必要な稚貝の適正な収容密度と、容器内の海水の換水率を把握したとの報告がされている（非特許文献１参照。）。
【先行技術文献】
【特許文献】
【０００８】
【特許文献１】特開平９−７０２３５号公報
【特許文献２】特公平２−２４４９９号公報
【非特許文献】
【０００９】
【非特許文献１】崎山一孝・山崎英樹・兼松正衛  原著論文「自然海水を利用した陸上アップウエリングシステムによるアサリ稚貝の飼育方法の検討」（水産技術，５（１），２７−３１，２０１２）
【発明の概要】
【発明が解決しようとする課題】
【００１０】  本発明もまた、上記のような課題に鑑み、人工的に飼料を供給することなく水産生物の高密度育成が可能となり、また、人工水域においても、育成工程を極めて省力化できるアップウエリング式の水産生物の育成装置を提供することを目的とする。
【課題を解決するための手段】
【００１１】  上記目的を達成するため、本発明の水産生物の育成装置は、上面が着脱自在な蓋体により閉蓋され、下面が開放された筒状で、その底面に水産生物又はその稚魚を収容可能なメッシュサイズのフィルターが張設された育成容器内に排水パイプを備え、内外と通水可能にされたアップウエリング式の育成容器の上部周縁に浮体を設け、投入された設置水面上に蓋体部分が露出した状態で水中に浮遊し、設置水面で発生する波動により上下に弾むように揺動するようにしたことを第１の特徴とする。また、蓋体に複数の通気孔を穿孔すると共に、受風板を立設したことを第２の特徴とする。さらに、蓋体の略中央部分に排水パイプを貫通し、この排水パイプの下端部に排水用フィルター装置を装着したことを第３の特徴とする。またさらに、フィルター装置が、環状の筒胴体の両面をメッシュ膜で被覆したドラム型に形成されると共に、排水パイプの先端部にラッパ状に拡径された集水部が形成されていることを第４の特徴とする。加えて、先端に曝気用の散気体が装着された送気チューブが排水パイプ内に挿通されていることを第５の特徴とする。さらに加えて、排水パイプに水を充満させることで、サイフォン式に排水するようにしたことを第６の特徴とする。また、排水パイプの水中部分の途中から送気して排水するようにしたことを第７の特徴とする。またさらに、育成器内にメッシュサイズの異なる少なくとも２種のフィルターを階層して設けたことを第８の特徴とする。【００１２】  本発明では、育成容器の自然水域での波による揺動や育成容器内への強制的な送気又はサイフォン現象によって育成器内の水が上面から排出され、その補償水として育成容器底面から底面フィルターを介して新鮮な海水等が流入し、育成容器内部の水の交換が起き、外部から流入する天然水に含まれる溶存酸素や植物プランクトン等の水産生物の餌料が育成容器内に供給される。【００１３】  本発明で使用する育成容器の材質及び形状は特に限定されないが、耐水、耐光性のあるプラスチック又は金属からなる筒状であるのが好ましい。また、育成容器の底面は、容器内への水の流入を著しく妨げない状態に開口したものであればよく、例えば、剛性強化のために、底部内周縁にフランジを形成したものでもよい。また、その開口に張設される底面フィルターは稚貝や幼生を確実に保持でき、しかも水の流入は阻害しない程度の細かな目合いのメッシュサイズであることを要する。
【発明の効果】
【００１４】  本発明では、育成容器内に海水又は湖水等から直接養分に富んだ天然水を流入させるため、人工飼料を供給することなく水産生物の高密度育成が可能となる。また、人工水域においても、水産生物の育成工程を極めて省力化できる。
【図面の簡単な説明】
【００１５】
【図１】本発明に係る水産生物育成装置の一実施例を示すスケルトン斜視図である。
【図２】ドラム型排水フィルターの一実施例を示す斜視図である。
【図３】育成容器を天然水面に設置した状態を模式的に示す斜視図である。
【図４】育成容器を人工水面に設置した状態を模式的に示す斜視図である。
【図５】本発明に係る育成装置の他の実施例を示す斜視図である。
【図６】本発明に係る育成装置の他の実施例を示す斜視図である。
【図７】本発明に係る育成装置の他の実施例を示す斜視図である。
【発明を実施するための形態】
【実施例】
【００１６】  本発明に係る水産生物の育成装置の育成容器１（以下、単に育成器１という）は、上面が着脱自在な蓋体３により閉蓋され、下面が開放された筒状で、その底面に二枚貝の稚貝又は幼生Ｓ（以下、単に種苗Ｓという）を収容可能なメッシュサイズの底面フィルター２が張設され、育成器１内外と通水可能にされている。育成器１の上部周縁には、発泡スチロール材等で形成された帯状浮体３ｃが捲巻固定されており、投入された設置水面Ｗ上に蓋体３部分が露出した状態で水中に浮遊する。このため、育成器１は設置水面Ｗで発生する波動により上下に弾むように揺動する。【００１７】  しかし、育成器１は完全に波動に一致した運動をするわけではなく、自重や底面フィルター２を通過する水の摩擦抵抗によって、設置水面Ｗの波による運動とは若干位相が相違した運動をすることになる。この設置水面Ｗの波の動きと育成器１の運動の位相のズレにより、底面フィルター２を通して外部水及び内部水の流入、流出が生じ、その結果、育成器１内部の水の交換が起きて、外部から流入する天然水に含まれる溶存酸素や植物プランクトン等の種苗Ｓの餌料が育成器１に収容されている水産生物やその幼生に供給される。【００１８】  ここで、育成器１にはその上部の空気層の停滞による育成器１内の水面変動の抑制を避けるために、蓋体３に複数の通気孔３ｂが穿孔されている。蓋体３に立設された受風板６は、水面を吹く風の風圧の変化を受けて育成器１のスイング運動を助長し、育成容器１内部の水の交換効率を上げる働きをする。尚、この受風板６は、育成器１の設置状況、周辺の風況状況によっては取り外しても構わない。【００１９】  蓋体３の略中央部分には排水パイプ３ａが貫通されており、この排水パイプ３ａの下端部には育成器１内部からの排水用のフィルター装置４が装着されている。このフィルター装置４は、環状の筒胴体４ａの両面をメッシュ膜４ｂで被覆したドラム型に形成されており、パイプ３ａの先端部は集泡及び集水するためにラッパ状に拡径されて集水部４ｃが形成されている。さらに、外部のブロアー７から配管される先端には曝気用の散気体としてのエアストーン５ａが装着された送気チューブ５が排水パイプ３ａ内に挿通されている。【００２０】  尚、排水フィルター装置４は、左右両面が開口された筒胴体４ａの少なくとも片面開口にメッシュ膜４ｂを張設したドラム型を基本形とするが、筒胴体４ａの中央部に膨らみをもつ樽型、筒胴体４ａの中央部にくびれを持つものでもよい。メッシュ膜４ｂは筒胴体４ｂの直径に合った輪状の固定枠４ｄでメッシュ膜４ｂを挟み込んで筒胴体４ｂに固定する。【００２１】  これにより、ブロアー７から送気され、エアストーン５により発泡した泡沫は、蓋体３に装着された排水パイプ３ａを通ってフィルター装置４の上層まで上昇し、パイプ３ａ内部に上昇流が発生して育成器１内部の水の排水を行なう。すなわち、育成器１内部の排水を強制的に行なう。このドラムフィルター装置４は、育成器１に収容された種苗Ｓの排出を防止する。尚、発泡及び強制排水装置は、設置状況、風況状況や波浪状況によっては取り外しても構わない。【００２２】  また、ドラム型フィルター装置４のメッシュ膜４ｂは、種苗Ｓが外部に排���されないように設けているものであり、当然、種苗Ｓが通過できないメッシュサイズにすべきであるが、種苗Ｓが成長して、捲き上がり浮上しない大きさになればフィルター装置４も不要である。また、図５に示すように、曝気用の散気体を用いることなく、育成器１の側面に排水ホース８を付設して、排水ホース８の下部から刺し入れた送気チューブ５から送気するエアーリフト方式でも排水が可能で、育成器１内に水流を発生させるという所期の効果を得ることができる場合もある。【００２３】  底面フィルター２のメッシュサイズも種苗Ｓが通過落下しない目合いのメシュサイズを選択する必要がある。底面フィルター２のもう一つの働きは、外部からの食害生物の侵入を防止することにある。【００２４】  育成器１は海面や洋上筏、湖沼水面への設置以外にも、水槽、プール、陸上生簀等の人工的な水域９にも設置することができる。その場合、波動による動きが弱いことがあるため、強制排水機能を併用する必要がある。この場合の強制排水は、発泡上昇流によっても構わないが、図４に示すように、排水パイプ３ａに水を充満させることで、排水チューブ８からサイフォン式に排水すれば、送気用のブロアー７が不要になり省エネルギー効果が得られる。【００２５】  育成器１は、水面を浮遊しているので、当然、流失防止のロープ等で係留しておく必要がある。育成器１及びドラム型フィルター装置４の形状は、所期の機能が発揮されるものであれば、方形等でもよくその外形状は問わない。育成器１並びにフィルター膜４ｂの材質も機能が維持される範疇であれば材質も問わない。このように、各構成要件は、設置状況や波浪状況によって、それぞれ単独に使用してもよく、また、併用しても構わない。【００２６】  また、図６に示すように、ドラム型フィルター装置４は必ずしも必要でなく、送気チューブ５を排水パイプ３ａの水中部分の途中に取り付けて送気することでも排水を可能にできる。【００２７】  図７に示す育成器１では、メッシュサイズの異なる第１フィルター２ａと第２フィルター２ｂを各々育成器１の底面と中間部に張設している。すなわち、育成器１内にメッシュサイズの異なる少なくとも２種のフィルターを階層して設けている。そして、中間部の第１フィルター２ａの目合いは、親貝Ｓ１は保持可能であるが卵・幼生Ｓ２は通過落下可能なサイズとし、底面の第２フィルター２ｂのメッシュサイズは卵・幼生Ｓ２が通過落下しない目合いとすることで、産卵された卵・幼生Ｓ１は、第１フィルター２ａを通過沈降して底面の第２フィルター２ｂ上に保持される。このように、本装置（育成器）は、産卵、採卵装置としても利用できる。
【符号の説明】
【００２８】１    育成器
２    底面フィルター
２ａ  第１フィルター（底面）
２ｂ  第２フィルター（中間部）
３    育成器の蓋体
３ａ  排水パイプ
３ｂ  通気孔
３ｃ  浮体（発泡スチロール）
４    排水フィルター装置
４ａ  筒胴体
４ｂ  メッシュ膜
４ｃ  集水部
５    送気チューブ
５ａ  散気体（エアストーン）
６    受風板
７    送気ブロアー
８    排水チューブ
９    水槽（人工水域）
Ｓ    種苗（水産生物又はその稚魚・幼生）
Ｓ１  親貝
Ｓ２  卵・幼生
Ｗ    設置水面
【図１】
2015035988.tif 000003
【図２】
2015035988.tif 000004
【図３】
2015035988.tif 000005
【図４】
2015035988.tif 000006
【図５】
2015035988.tif 000007
【図６】
2015035988.tif 000008
【図７】
2015035988.tif 000009